【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
地中埋設管を受け入れ可能な筒状の受口部と、
該受口部と一体に形成され、ハンドホール内に連通する開口部に接続される筒部と、を備え、
該筒部における前記開口部の周縁部に、前記受口部及び前記筒部に挿通される複数のさや管ダクトスリーブの一方端部を固定支持する固定板を取り付けるための取付部が形成されたダクトスリーブであって、
前記受口部及び前記筒部が設けられたダクトスリーブ本体と、前記開口部が設けられたフランジ部材とを、各々に設けられた端部同士を組み合わせることで一体化されてなり、
前記取付部は、前記固定板をねじ留め固定する複数のねじ用貫通孔を有し、
前記フランジ部材は、前記ダクトスリーブの管軸方向に沿った長さが前記固定板の厚さよりも長い外周部を有し、
前記複数のねじ用貫通孔は、前記フランジ部材から管軸と直交する方向に突出し、かつ、互いに離間されて設けられていることを特徴とするダクトスリーブ。
【請求項２】
前記取付部は、前記複数のねじ用貫通孔の各々の間に、前記管軸方向と直交する方向に延在するリブが設けられていることを特徴とする請求項１に記載のダクトスリーブ。
【請求項３】
地中埋設管を受け入れ可能な筒状の受口部と、
該受口部と一体に形成され、ハンドホール内に連通する開口部に接続される筒部と、を備え、
該筒部における前記開口部の周縁部に、前記受口部及び前記筒部に挿通される複数のさや管ダクトスリーブの一方端部を固定支持する固定板を取り付けるための取付部が形成されたダクトスリーブであって、
前記受口部及び前記筒部が設けられたダクトスリーブ本体と、前記開口部が設けられたフランジ部材とを、各々に設けられた端部同士を組み合わせることで一体化されてなり、
前記取付部は、前記固定板をねじ留め固定する複数のねじ用貫通孔を有し、
前記フランジ部材は、前記ダクトスリーブの管軸方向に沿った長さが前記固定板の厚さよりも長い外周部を有し、
前記ねじ用貫通孔の内部に袋状ねじ部材が配置されており、
前記袋状ねじ部材が、インサート成形によって前記ねじ用貫通孔の内部に固定されていることを特徴とするダクトスリーブ。
【請求項４】
請求項１〜請求項３の何れか一項に記載されたダクトスリーブを備えたことを特徴とするハンドホール。
【手続補正２】
【補正対象書類名】明細書
【補正対象項目名】発明の名称
【補正方法】変更
【補正の内容】
【発明の名称】ダクトスリーブ、及びハンドホール
【手続補正３】
【補正対象書類名】明細書
【補正対象項目名】０００１
【補正方法】変更
【補正の内容】
【０００１】
本発明は、通信線を保護するダクトスリーブ、及びハンドホールに関する。
【手続補正４】
【補正対象書類名】明細書
【補正対象項目名】００１０
【補正方法】変更
【補正の内容】
【００１０】
本発明は上記問題に鑑みてなされたものであり、生産性が向上するとともに、形状や寸法安定性にも優れたダクトスリーブ、及びハンドホールを提供することを目的とする。
【手続補正５】
【補正対象書類名】明細書
【補正対象項目名】００１１
【補正方法】変更
【補正の内容】
【００１１】
請求項１に記載の発明は、地中埋設管を受け入れ可能な筒状の受口部と、該受口部と一体に形成され、ハンドホール内に連通する開口部に接続される筒部と、を備え、該筒部における前記開口部の周縁部に、前記受口部及び前記筒部に挿通される複数のさや管ダクトスリーブの一方端部を固定支持する固定板を取り付けるための取付部が形成されたダクトスリーブであって、前記受口部及び前記筒部が設けられたダクトスリーブ本体と、前記開口部が設けられたフランジ部材とを、各々に設けられた端部同士を組み合わせることで一体化されてなり、前記取付部は、前記固定板をねじ留め固定する複数のねじ用貫通孔を有し、前記フランジ部材は、前記ダクトスリーブの管軸方向に沿った長さが前記固定板の厚さよりも長い外周部を有し、前記複数のねじ用貫通孔は、前記フランジ部材から管軸と直交する方向に突出し、かつ、互いに離間されて設けられていることを特徴とする。
【手続補正６】
【補正対象書類名】明細書
【補正対象項目名】００１２
【補正方法】変更
【補正の内容】
【００１２】
本発明によれば、ダクトスリーブ本体とフランジ部材とを、端部同士を組み付けることで一体化されてなる構成とすることで、各部材のサイズを小さく抑制することができ、フランジ部材の製造への射出成形の適用が容易になる。また、フランジ部材の加工に射出成形を適用した場合には、切削や加熱加工等の方法を用いることなく、高い寸法精度で所望の形状に形成することができることから、ダクトスリーブ本体とフランジ部材とを、確実且つ強固に接合することが可能となる。従って、生産性が向上するとともに、形状や寸法安定性にも優れたダクトスリーブを提供することが可能となる。
【手続補正７】
【補正対象書類名】明細書
【補正対象項目名】００１３
【補正方法】変更
【補正の内容】
【００１３】
請求項２に記載の発明は、請求項１に記載のダクトスリーブであって、前記取付部が、前記複数のねじ用貫通孔の各々の間に、前記管軸方向と直交する方向に延在するリブが設けられていることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
請求項３に記載の発明は、地中埋設管を受け入れ可能な筒状の受口部と、該受口部と一体に形成され、ハンドホール内に連通する開口部に接続される筒部と、を備え、該筒部における前記開口部の周縁部に、前記受口部及び前記筒部に挿通される複数のさや管ダクトスリーブの一方端部を固定支持する固定板を取り付けるための取付部が形成されたダクトスリーブであって、前記受口部及び前記筒部が設けられたダクトスリーブ本体と、前記開口部が設けられたフランジ部材とを、各々に設けられた端部同士を組み合わせることで一体化されてなり、前記取付部は、前記固定板をねじ留め固定する複数のねじ用貫通孔を有し、前記フランジ部材は、前記ダクトスリーブの管軸方向に沿った長さが前記固定板の厚さよりも長い外周部を有し、前記ねじ用貫通孔の内部に袋状ねじ部材が配置されており、前記袋状ねじ部材が、インサート成形によって前記ねじ用貫通孔の内部に固定されていることを特徴とする。
【手続補正２１】
【補正対象書類名】明細書
【補正対象項目名】００２７
【補正方法】変更
【補正の内容】
【００２７】
本発明によれば、ねじ用貫通孔の内部に袋状ねじ部材を配置した構成とすることで、ねじ留めによってロータス管を固定する機能と、ねじ用貫通孔に外部からコンクリート等が流入するのを防止する機能の両方が得られる。これにより、部品点数を削減することができ、従来に比べて製造工程を省略することができることから、生産性が向上するとともに、製造コストも削減できる。
また、本発明によれば、インサート成形により、袋状ねじ部材が前記ねじ用貫通孔の内部に固定された構成なので、従来に比べて製造工程を省略することができ、生産性が向上するとともに、製造コストも削減できる。
【手続補正２２】
【補正対象書類名】明細書
【補正対象項目名】００２８
【補正方法】変更
【補正の内容】
【００２８】
請求項４に記載の発明は、ハンドホールであって、請求項１〜請求項３の何れか一項に記載されたダクトスリーブを備えたことを特徴とする。